【手続補正書】
【提出日】平成20年8月18日(2008.8.18)
【手続補正１】
【補正対象書類名】明細書
【補正対象項目名】特許請求の範囲
【補正方法】変更
【補正の内容】
【特許請求の範囲】
【請求項１】
ＭＰＥＧ−２Systemsに規定されたトランスポートストリームを放送信号として適用したデジタル放送送受信システムにおいて、
関連づけされた複数のサービス（プログラム）、トランスポートストリーム及び／又はネットワークをブーケとしてグループ化し、その関連づけの内容をブーケ種別として識別する
ことを特徴とするデジタル放送送受信システム。
【請求項２】
上記ブーケとしてグループ化したサービス（プログラム）、トランスポートストリーム及び／又はネットワークを特定する情報、並びに、上記ブーケ種別を、上記トランスポートストリームに含めて送信する請求項１記載のデジタル放送送受信システム。
【請求項３】
トランスポートストリームに含められるＢＡＴ（Bouquet Association Table）に、上記ブーケによりグループ化されたサービス（プログラム）、トランスポートストリーム及び／又はネットワークを特定する情報、並びに、上記ブーケ種別を記述する請求項１記載のデジタル放送送受信システム。
【請求項４】
上記ブーケ種別を、記述子として記述して、トランスポートストリームに含める請求項１記載のデジタル放送送受信システム。
【請求項５】
上記トランスポートストリームに、ブーケ種別を示すブーケ種別記述子を含める請求項１記載のデジタル放送送受信システム。
【請求項６】
上記ブーケ種別記述子に、各ブーケの名前を示すブーケ名と、上記ブーケ種別を記述する請求項５記載のデジタル放送送受信システム。
【請求項７】
上記ブーケには、本システムに定められた各ブーケをユニークに識別するブーケＩＤを付与する請求項１記載のデジタル放送送受信システム。
【請求項８】
上記ブーケＩＤには、各ブーケをユニークに識別するブーケ識別情報を記述する請求項７記載のデジタル放送送受信システム。
【請求項９】
上記ブーケＩＤには、上記ブーケ種別を示すブーケ種別情報と、このブーケ種別内で各ブーケをユニークに識別するブーケ識別情報とを含めて記述する請求項７記載のデジタル放送送受信システム。
【請求項１０】
上記ブーケＩＤには、当該ブーケとしてグループ化されたサービス（プログラム）、トランスポートストリーム及びネットワークが放送される放送メディアを識別するメディア識別情報と、上記放送メディア内で各ブーケをユニークに識別するブーケ識別情報とを含めて記述する請求項７記載のデジタル放送送受信システム。
【請求項１１】
上記ブーケＩＤには、当該ブーケとしてグループ化されたサービス（プログラム）、トランスポートストリーム及びネットワークが放送される放送メディアを識別するメディア識別情報と、この放送メディア内で上記ブーケ種別をユニークに識別するブーケ種別情報と、このブーケ種別内で各ブーケをユニークに識別するブーケ識別情報とを含めて記述する請求項７記載のデジタル放送送受信システム。
【請求項１２】
ＭＰＥＧ−２Systemsに規定されたトランスポートストリームを放送信号として適用したデジタル放送送受信システムにおいて、
任意のサービスエリアから他のサービスエリアに移動した場合におけるサービスの代替関係として関連づけされた複数のサービス（プログラム）、トランスポートストリーム及び／又はネットワークを特定する情報を、上記トランスポートストリームに含めて送信するデジタル放送送受信システム。
【請求項１３】
トランスポートストリームに含められるＮＩＴ（Network Information Table）に、当該ＮＩＴが適用されるトランスポートストリームと代替関係として関連づけされたサービス（プログラム）、トランスポートストリーム及び／又はネットワークを記述する請求項１２記載のデジタル放送送受信システム。
【請求項１４】
トランスポートストリームに含められるＳＤＴ（Service Description Table）に、当該ＳＩＴが適用されるサービス（プログラム）と代替関係として関連づけされたサービス（プログラム）、トランスポートストリーム及び／又はネットワークを記述する請求項１２記載のデジタル放送送受信システム。
【請求項１５】
トランスポートストリームに含められるＥＩＴ（Event Information Table）に、当該ＥＩＴが適用されるイベントと代替関係として関連づけされたサービス（プログラム）、トランスポートストリーム及び／又はネットワークを記述する請求項１２記載のデジタル放送送受信システム。
【請求項１６】
ＭＰＥＧ−２Systemsに規定されたトランスポートストリームを放送信号として適用したデジタル放送送受信システムにおいて、
任意のサービスエリアから他のサービスエリアに移動した場合におけるサービスの代替関係として関連づけされた複数のサービス（プログラム）、トランスポートストリーム及び／又はネットワークを、ブーケとしてグループ化するデジタル放送送受信システム。
【請求項１７】
上記ブーケとしてグループ化したサービス（プログラム）、トランスポートストリーム及び／又はネットワークを特定する情報を、上記トランスポートストリームに含めて送信する請求項１６記載のデジタル放送送受信システム。
【請求項１８】
ブーケとしてグループ化されたサービス（プログラム）、トランスポートストリーム及び／又はネットワークの関連づけの内容を示すブーケ種別を、任意のサービスエリアから他のサービスエリアに移動した場合におけるサービスの代替関係として定義する請求項１６記載のデジタル放送送受信システム。
【請求項１９】
ＭＰＥＧ−２Systemsに規定されたトランスポートストリームを放送信号として適用したデジタル放送送受信システムにおいて、
放送信号の提供者が系列ネットを構成する系列局関係にあるとして関連づけされた複数のサービス（プログラム）、トランスポートストリーム及び／又はネットワークを、ブーケとしてグループ化するデジタル放送送受信システム。
【請求項２０】
上記ブーケとしてグループ化したサービス（プログラム）、トランスポートストリーム及び／又はネットワークを特定する情報を、上記トランスポートストリームに含めて送信する請求項１９記載のデジタル放送送受信システム。
【請求項２１】
ブーケとしてグループ化されたサービス（プログラム）、トランスポートストリーム及び／又はネットワークの関連づけの内容を示すブーケ種別を、放送信号の提供者が系列ネットを構成する系列局関係として定義する請求項１９記載のデジタル放送送受信システム。
【請求項２２】
ＭＰＥＧ−２Systemsに規定されたトランスポートストリームを放送信号として適用したデジタル放送送受信システムにおいて、
ＯＦＤＭ（Orthogonal Frequency Division Multiplex）方式における連結送信を行っている連結送信関係にあるとして関連づけされた複数のサービス（プログラム）、トランスポートストリーム及び／又はネットワークを、ブーケとしてグループ化するデジタル放送送受信システム。
【請求項２３】
上記ブーケとしてグループ化したサービス（プログラム）、トランスポートストリーム及び／又はネットワークを特定する情報を、上記トランスポートストリームに含めて送信する請求項２２記載のデジタル放送送受信システム。
【請求項２４】
ブーケとしてグループ化されたサービス（プログラム）、トランスポートストリーム及び／又はネットワークの関連づけの内容を示すブーケ種別を、ＯＦＤＭ方式における連結送信を行っている連結送信関係として定義する請求項２２記載のデジタル放送送受信システム。
【請求項２５】
ＭＰＥＧ−２Systemsに規定されたトランスポートストリームを放送信号として適用したデジタル放送送受信システムにおいて、
同一の放送を行っているサイマル放送関係にあるとして関連づけされた複数のサービス（プログラム）、トランスポートストリーム及び／又はネットワークを、ブーケとしてグループ化するデジタル放送送受信システム。
【請求項２６】
上記ブーケとしてグループ化したサービス（プログラム）、トランスポートストリーム及び／又はネットワークを特定する情報を、上記トランスポートストリームに含めて送信する請求項２５記載のデジタル放送送受信システム。
【請求項２７】
ブーケとしてグループ化されたサービス（プログラム）、トランスポートストリーム及び／又はネットワークの関連づけの内容を示すブーケ種別を、同一の放送を行っているとして定義する請求項２５記載のデジタル放送送受信システム。
【請求項２８】
ＭＰＥＧ−２Systemsのトランスポートストリームを放送信号として適用したデジタル放送を受信するデジタル放送受信装置において、
関連づけされた複数のサービス（プログラム）、トランスポートストリーム及び／又はネットワークをブーケとしてグループ化し、その関連づけの内容をブーケ種別として識別された制御情報が含まれたトランスポートストリームを受信し、上記制御情報に基づき、上記ブーケによりグループ化された複数のサービス（プログラム）、トランスポートストリーム及び／又はネットワークを、上記ブーケ種別毎に管理し、管理している上記制御情報に基づき、受信するサービス（プログラム）、トランスポートストリーム又はネットワークを、上記ブーケ種別により示された関連づけの内容に応じて切り換えを行うデジタル放送受信装置。
【請求項２９】
ＭＰＥＧ−２Systemsのトランスポートストリームを放送信号として適用したデジタル放送を受信するデジタル放送受信装置において、
任意のサービスエリアから他のサービスエリアに移動した場合におけるサービスの代替関係として関連づけされた複数のサービス（プログラム）、トランスポートストリーム及び／又はネットワークを示す制御情報が含まれたトランスポートストリームを受信し、上記制御情報に基づき、受信している当該サービス（プログラム）と上記代替関係として関連づけられた複数のサービス（プログラム）、トランスポートストリーム及び／又はネットワークを管理し、管理している上記制御情報に基づき、受信するサービス（プログラム）、トランスポートストリーム又はネットワークを、他のサービス（プログラム）、トランスポートストリーム又はネットワークに切り換えを行うデジタル放送受信装置。
【請求項３０】
ＭＰＥＧ−２Systemsのトランスポートストリームを放送信号として適用したデジタル放送を受信するデジタル放送受信装置において、
任意のサービスエリアから他のサービスエリアに移動した場合におけるサービスの代替関係として関連づけされた複数のサービス（プログラム）、トランスポートストリーム及び／又はネットワークをブーケとしてグループ化し、そのブーケとしてグループ化された複数のサービス（プログラム）、トランスポートストリーム及び／又はネットワークを示す制御情報が含まれたトランスポートストリームを受信し、上記制御情報に基づき、受信している当該サービス（プログラム）と上記代替関係として関連づけられた複数のサービス（プログラム）、トランスポートストリーム及び／又はネットワークを管理し、管理している上記制御情報に基づき、受信するサービス（プログラム）、トランスポートストリーム又はネットワークを、他のサービス（プログラム）、トランスポートストリーム又はネットワークに切り換えを行うデジタル放送受信装置。
【請求項３１】
ＭＰＥＧ−２Systemsのトランスポートストリームを放送信号として適用したデジタル放送を受信するデジタル放送受信装置において、
放送信号の提供者が系列ネットを構成する系列局関係として関連づけされた複数のサービス（プログラム）、トランスポートストリーム及び／又はネットワークをブーケとしてグループ化し、そのブーケとしてグループ化された複数のサービス（プログラム）、トランスポートストリーム及び／又はネットワークを示す制御情報が含まれたトランスポートストリームを受信し、上記制御情報に基づき、受信している当該サービス（プログラム）と上記系列局関係として関連づけられた複数のサービス（プログラム）、トランスポートストリーム及び／又はネットワークを管理し、管理している上記制御情報に基づき、受信するサービス（プログラム）、トランスポートストリーム又はネットワークを、他のサービス（プログラム）、トランスポートストリーム又はネットワークに切り換えを行うデジタル放送受信装置。
【請求項３２】
ＭＰＥＧ−２Systemsのトランスポートストリームを放送信号として適用したデジタル放送を受信するデジタル放送受信装置において、
ＯＦＤＭ（Orthogonal Frequency Division Multiplex）方式における連結送信を行っている連結送信関係として関連づけされた複数のサービス（プログラム）、トランスポートストリーム及び／又はネットワークをブーケとしてグループ化し、そのブーケとしてグループ化された複数のサービス（プログラム）、トランスポートストリーム及び／又はネットワークを示す制御情報が含まれたトランスポートストリームを受信し、上記制御情報に基づき、受信している当該サービス（プログラム）と上記連結送信関係として関連づけられた複数のサービス（プログラム）、トランスポートストリーム及び／又はネットワークを管理し、管理している上記制御情報に基づき、受信するサービス（プログラム）、トランスポートストリーム又はネットワークを、他のサービス（プログラム）、トランスポートストリーム又はネットワークに切り換えを行うデジタル放送受信装置。
【請求項３３】
ＭＰＥＧ−２Systemsのトランスポートストリームを放送信号として適用したデジタル放送を受信するデジタル放送受信装置において、
同一の放送を行っているサイマル放送関係として関連づけされた複数のサービス（プログラム）、トランスポートストリーム及び／又はネットワークをブーケとしてグループ化し、そのブーケとしてグループ化された複数のサービス（プログラム）、トランスポートストリーム及び／又はネットワークを示す制御情報が含まれたトランスポートストリームを受信し、上記制御情報に基づき、受信している当該サービス（プログラム）と上記サイマル放送関係として関連づけられた複数のサービス（プログラム）、トランスポートストリーム及び／又はネットワークを管理し、管理している上記制御情報に基づき、受信するサービス（プログラム）、トランスポートストリーム又はネットワークを、他のサービス（プログラム）、トランスポートストリーム又はネットワークに切り換えを行うデジタル放送受信装置。
【手続補正２】
【補正対象書類名】明細書
【補正対象項目名】００１９
【補正方法】変更
【補正の内容】
【００１９】
本発明にかかるデジタル放送受信装置は、ＭＰＥＧ−２Systemsのトランスポートストリームを放送信号として適用したデジタル放送を受信するデジタル放送受信装置において、同一の放送を行っているサイマル放送関係として関連づけされた複数のサービス（プログラム）、トランスポートストリーム及び／又はネットワークをブーケとしてグループ化し、そのブーケとしてグループ化された複数のサービス（プログラム）、トランスポートストリーム及び／又はネットワークを示す制御情報が含まれたトランスポートストリームを受信し、上記制御情報に基づき、受信している当該サービス（プログラム）と上記サイマル放送関係として関連づけられた複数のサービス（プログラム）、トランスポートストリーム及び／又はネットワークを管理し、管理している上記制御情報に基づき、受信するサービス（プログラム）、トランスポートストリーム又はネットワークを、他のサービス（プログラム）、トランスポートストリーム又はネットワークに切り換えを行うことを特徴とする。